(57)【要約】【課題】扉の大型化や昼夜暖房による扉の反り増大を扉の重量を重くせずに十分に防止できる木質扉を提供する。【解決手段】扉枠または桟となる芯材１１を備える扉１において、少なくとも相対湿度３０％以上８０％以内の雰囲気内で上記芯材１１の平衡含水率の最大値と最小値の差が１０ｗｔ％以内であり且つ、上記芯材の密度が６００ｋｇ／ｍ３以内の範囲であり、且つ、上記芯材の相対湿度３０％以上８０％以内の雰囲気内における少なくとも軸方向の寸法変化率について最大値と最小値の差が０．１％以内である。上記縦芯材１１は、ポプラやユーカリを単板としたＬＶＬ（Laminated Veneer Lumber）、或いは合板材からなる。【選択図】図１
2014234624.tif 000002
【特許請求の範囲】
【請求項１】
扉枠または桟となる芯材を備える扉において、少なくとも相対湿度３０％以上８０％以内の雰囲気内で上記芯材の少なくとも軸方向の寸法変化率の最大値と最小値の差が０．１％以内であることを特徴とする扉。
【請求項２】
扉枠または桟となる芯材を備える扉において、少なくとも相対湿度３０％以上８０％以内の雰囲気内で上記芯材の平衡含水率の最大値と最小値の差が１０ｗｔ％以内であることを特徴とする扉。
【請求項３】
扉枠または桟となる芯材を備える扉において、上記芯材の密度が６００ｋｇ／ｍ３以内の範囲にあることを特徴とする扉。
【請求項４】
扉枠または桟となる芯材を備える扉において、少なくとも相対湿度３０％以上８０％以内の雰囲気内で上記芯材の平衡含水率の最大値と最小値の差が１０ｗｔ％以内であり且つ、上記芯材の密度が６００ｋｇ／ｍ３以内の範囲にあることを特徴とする扉。
【発明の詳細な説明】
【技術分野】
【０００１】
この発明は、反りが生じ難い扉に関する。
【背景技術】
【０００２】
従来より、空間や部屋を仕切る部分に使用される扉の両側で湿度や温度の相違する場合や、直射日光の照射あるいはエアコンの直風などの環境が大きく異なる場合でも、扉に反りや芯影が発生するのを防止する技術が提案されている。
【０００３】
例えば、特許文献１には、木質材よりなる四周枠材および桟材から構成される芯材の表裏両面に化粧面材を貼着してなるフラッシュ構造の扉体において、上記化粧面材は、厚さ２ｍｍ以上４ｍｍ未満のＭＤＦ（Medium Density Fiberboard）の表裏両面に積層シートが貼着されてなり、上記積層シートは厚さ７μｍ以上のアルミシートの表裏両面に各々坪量２０〜３０ｇ／ｍ２の紙層が積層一体化されてなる扉構造が開示されている。
【０００４】
また、特許文献２には、フラッシュドアの木質ボードの両面に、非透水・非透湿性シートを貼着して水分移動を木質ボードの極狭い範囲内に限定することによって反りを防止することが開示されている。
【０００５】
さらに、特許文献３には、縦方向の反りを防止するために、複数の柱状の芯材が接続されて形成される枠体、前記枠体の縦方向に延びる前記芯材の軸方向に平行な側端面に設けられる反り止部材、および前記枠体に取り付けられる表面材を含む木質扉が開示されている。
【０００６】
また、特許文献４には、扉を構成する木質板が、密度０．４ｇ／ｃｍ３以上の框材と密度０．６ｇ／ｃｍ３以下の芯材からなり、上記框材の密度が芯材の密度より相対的に大きくされた構造が開示されている。
【先行技術文献】
【特許文献】
【０００７】
【特許文献１】特開２０１０−１６８７５８号公報
【特許文献２】特開平０６−２７２４５５号公報
【特許文献３】特開平５−３３５６０号公報
【特許文献４】特開２００４−３３２４０１号公報
【発明の概要】
【発明が解決しようとする課題】
【０００８】
しかしながら、近年、床から天井までの大型の扉が好まれるようになり、小型の扉では目立たないような反りでも、このような大型の扉では反りが目立つようになった。また、一般に、扉に生じた反りは暖房停止中に回復する傾向にあるが、蓄熱式暖房器具など夜間電力を有効に用いる省エネタイプの暖房器具を用いる家庭では昼夜を問わず暖房が行われることがあり、この場合には上記回復の期間が奪われて反りが増大する。
【０００９】
上記特許文献１および上記特許文献２に開示された技術では、上記扉の芯材についての反り防止が十分でなく、扉の大型化や昼夜暖房による扉の反り増大を十分に防止できるものではない。一方、上記特許文献３では、上記反り止部材として、帯状の金属板が用いられるため、扉が重くなるという欠点がある。また、上記特許文献４の技術では、上記框材と芯材とにおいてその密度をわざわざ異ならせる必要が生じてしまう。
【００１０】
この発明は、上記の事情に鑑み、扉の大型化や昼夜暖房による扉の反り増大を扉の重量を重くせずに十分に防止できる木質扉を提供することを課題とする。
【課題を解決するための手段】
【００１１】
この発明の扉は、扉枠または桟となる芯材を備える扉において、少なくとも相対湿度３０％以上８０％以内の雰囲気内で上記芯材の少なくとも軸方向の寸法変化率の最大値と最小値の差が０．１％以内であることを特徴とする。
【００１２】
上記の構成であれば、反り防止に帯状の金属板を用いなくてもよいので、重量化を防止できる。また、上記芯材の少なくとも軸方向の寸法変化率が上記のように設定されており、上記芯材自体が湿度変化に対して伸縮を生じにくくなっているので、扉の大型化や昼夜暖房による扉の反り増大も防止できる。
【００１３】
また、この発明の扉は、扉枠または桟となる芯材を備える扉において、少なくとも相対湿度３０％以上８０％以内の雰囲気内で上記芯材の平衡含水率の最大値と最小値の差が１０ｗｔ％以内であることを特徴とする。
【００１４】
上記の構成であれば、反り防止に帯状の金属板を用いなくてもよいので、重量化を防止できる。また、上記芯材の湿度変化に対する平衡含水率の変化が上記のように設定されており、上記芯材自体が湿度変化に対して伸縮を生じにくくなっているので、扉の大型化や昼夜暖房による扉の反り増大も防止できる。
【００１５】
また、この発明の扉は、扉枠または桟となる芯材を備える扉において、上記芯材の密度が６００ｋｇ／ｍ３以内の範囲にあることを特徴とする。
【００１６】
上記の構成であれば、反り防止に帯状の金属板を用いなくてもよく、また上記芯材の密度も低いため、重量化を防止できる。また、上記芯材の密度が上記のように低く設定されており、上記芯材自体が湿度変化に対して伸縮を生じにくくなっているので、扉の大型化や昼夜暖房による扉の反り増大も防止できる。
【００１７】
また、この発明の扉は、扉枠または桟となる芯材を備える扉において、少なくとも相対湿度３０％以上８０％以内の雰囲気内で上記芯材の平衡含水率の最大値と最小値の差が１０ｗｔ％以内であり且つ、上記芯材の密度が６００ｋｇ／ｍ３以内の範囲にあることを特徴とする。このような構成であれば、反り防止力がさらに向上したものとなる。
【発明の効果】
【００１８】
本発明であれば、扉の大型化や昼夜暖房による扉の反り増大を扉の重量を重くせずに十分に防止できるという効果を奏する。
【図面の簡単な説明】
【００１９】
【図１】本発明の実施形態にかかる木質扉の断面図である。
【図２】一般の無垢木材の平衡含水率曲線およびポプラ・ユーカリ材を用いたＬＶＬ（Laminated Veneer Lumber）の木質扉の縦芯材の平衡含水率曲線を示したグラフである。
【図３】扉によって隔てられた高温室の温度と湿度、および低温室の温度と湿度の経過日数変化を示したグラフである。
【図４】図３の温度湿度環境下での扉の最大反りの経過日数変化を示したグラフである。
【図５】ラワン材を用いたＬＶＬ（Laminated Veneer Lumber）の相対湿度１４％以上９５％以内の雰囲気内における寸法変化率および図１の木質扉の縦芯材であるポプラ・ユーカリ材を用いたＬＶＬの寸法変化率を示したグラフである。
【発明を実施するための形態】
【００２０】
以下、この発明の実施の形態を添付図面に基づいて説明する。
図１に示すように、この実施形態の木質扉１は、木質の縦芯材（扉枠）１１を扉両サイド部に備えており、上記縦芯材１１の間には空間が形成されている。上記縦芯材１１を両面から挟むように透湿性が低いまたは透湿性を有しないシート１２が貼付されている。上記シート１２は、湿気を透過させない或いは透過させにくい合成樹脂シートや樹脂含浸シート等からなる。
【００２１】
上記シート１２上には木質ボード１３が貼付されている。この木質ボード１３はＭＤＦ（Medium Density Fiberboard）などからなる。さらに、上記木質ボード１３上には上記シート１２が貼付されている。そして、このシート１２上に突き板１４が貼付されている。上記突き板１４は、木材を薄くスライスしたものであり、木目が美しい化粧板となるものである。
【００２２】
上記縦芯材１１は、ＬＶＬ（Laminated Veneer Lumber）などからなる。このＬＶＬは、切削によって得た単板を繊維方向が平行となるように揃えて積層した木質材料であり、この実施形態では上記単板をポプラやユーカリ等の樹木から作製している。
【００２３】
図２において、点線の曲線はラワン材を用いたＬＶＬの平衡含水率曲線を示しており、実線の曲線は上記縦芯材１１の平衡含水率曲線を示している。上記縦芯材１１としては、少なくとも相対湿度３０％以上８０％以内の雰囲気内で上記芯材１１の平衡含水率の最大値と最小値の差が１０ｗｔ％以内（望ましくは５ｗｔ％以内、より望ましくは３ｗｔ％以内）にあるものが用いられる。
【００２４】
上記平衡含水率（重量含水率）の変化が１０ｗｔ％以内にある素材としては、ポプラやユーカリをそれぞれ単板としたＬＶＬ、ポプラの単板とユーカリの単板の両方を用いて合成したポプラユーカリＬＶＬ等がある。
【００２５】
また、上記縦芯材１１の密度（気乾密度）は６００ｋｇ／ｍ３以内の範囲内にある。望ましくは、５００ｋｇ／ｍ３以内、より望ましくは４００ｋｇ／ｍ３以内にあるのがよい。上記縦芯材１１の密度が上記のような範囲内にある素材としては、ポプラやユーカリをそれぞれ単板としたＬＶＬ、ポプラの単板とユーカリの単板を合成したＬＶＬ、ポプラやユーカリをそれぞれ単板とした合板材、ポプラの単板とユーカリの単板を合成した合板材がある。
【００２６】
さらに、この実施形態では、上記縦芯材１１の相対湿度３０％以上８０％以内の雰囲気内における寸法変化率は少なくとも軸方向の寸法変化率の最大値と最小値の差が０．１％以内としている。上記縦芯材１１の寸法変化率が上記のような範囲内にある素材としては、図５に示すように、ポプラやユーカリをそれぞれ単板としたＬＶＬ、ポプラの単板とユーカリの単板を合成したＬＶＬ、ポプラやユーカリをそれぞれ単板とした合板材、ポプラの単板とユーカリの単板を合成した合板材がある。なお、軸方向以外の方向においても寸法変化率の最大値と最小値の差が０．１％以内であるようにしてもよい。
【００２７】
上記の構成であれば、反り防止に帯状の金属板は用いなくてもよいので、重量化を防止できる。また、上記縦芯材１１の湿度変化に対する平衡含水率の変化が上記のように設定されており、上記縦芯材１１自体が湿度変化に対して伸縮を生じにくくなっているので、木質扉１の大型化や昼夜暖房による扉の反り増大も防止できる。さらに、上記縦芯材１１の密度が上記のように設定されており、上記芯材自体が湿度変化に対して伸縮を生じにくくなっているので、木質扉１の大型化や昼夜暖房による扉の反りが一層防止される。
【００２８】
上記木質扉１においては、扉枠を構成する縦芯材１１を扉両サイドに２本有するものであったが、例えば扉中央に縦桟となる縦芯材１１を配置した３本の縦芯材を有する構成等としてもよい。
【００２９】
図３は、温度と湿度を縦軸に示し、経過日数（３２日間）を横軸に示し、扉によって隔てられた一方の部屋（高温室）の温度と湿度、および他方の部屋（低温室）の温度と湿度の経過変化を示している。また、図４は、寸法が幅８１０×高さ２３５０ｍｍである扉の最大反り（対角）を縦軸に示し、経過日数（３２日間）を横軸に示し、図３に示した環境下での扉反りの経過変化を示したグラフである。図中の一点鎖線は、密度が高いラワン製ＬＶＬの芯材を縦に５本有する扉の反り変化を示しており、細実線は密度が高いラワン製ＬＶＬの芯材を縦に３本有する扉の反り変化を示しており、太実線は密度が低いポプラとユーカリを用いたＬＶＬの芯材を縦に３本有する扉の反り変化を示している。
【００３０】
上記図４から分かるように、密度が低いポプラとユーカリを用いたＬＶＬの芯材を縦に３本有する扉の反りは、他の構成の扉に比べて反りの変化が生じにくく、最大でも２．５ｍｍに反りが抑えられていることがわかる。また、芯材を縦に多くすることが必ずしも反り防止に寄与しないこともわかる。芯材を極力少なくすることは、木質扉１の重量低減および、芯影の目立ち防止のためにも望ましい。
【００３１】
また、上記のように含水率の変化、密度、寸法変化率が設定される芯材は、扉において縦に配置することに限定されるものではなく、扉横枠または横桟として配置することもできる。
【００３２】
また、上記実施形態では、上記のように含水率の変化、密度、寸法変化率が設定される芯材を例示したが、いずれか１つだけ或いはいずれか２つが設定されるものでもよい。
【００３３】
すなわち、芯材の湿度変化に対する含水率の変化が、少なくとも相対湿度３０％以上８０％以内の雰囲気内で１０ｗｔ％以下（或いは５ｗｔ％、或いは３ｗｔ％以下）にある一方、上記芯材の密度、寸法変化率については特に制限されないものであってもよい。また、芯材の密度が６００ｋｇ／ｍ３以内（或いは５００ｋｇ／ｍ３以内、或いは４００ｋｇ／ｍ３以内）の範囲内にある一方、芯材の湿度変化に対する含水率の変化、寸法変化率については特に制限されないものであってもよい。また、相対湿度３０％以上８０％以内の雰囲気内における上記芯材の少なくとも軸方向の寸法変化率について最大値と最小値の差が０．１％以内であり、上記芯材の密度、芯材の湿度変化に対する含水率の変化については特に制限されないものであってもよい。また、これら３つの条件のうち２つの条件が満たされるものであってもよい。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３５】
１      木質扉
１１    縦芯材
１２    シート
１３    木質ボード
１４    突き板
【図１】
2014234624.tif 000003
【図２】
2014234624.tif 000004
【図３】
2014234624.tif 000005
【図４】
2014234624.tif 000006
【図５】
2014234624.tif 000007